(57)【要約】【課題】ステンレスなどの金属またはアクリル樹脂からなる枠組みと石板を有する地上設置型納骨室によって使用する石材の軽量化と耐荷重性および耐震性を備えた墓を開発する。【解決手段】ステンレスまたはアクリル樹脂など防銹性または耐候性に優れた材料からなる立方体または直方体の地上設置型納骨室枠組１に、花崗岩などの石材からなる石板６を垂直方向各側面および上面に上部石板を接着し、枠組みと垂直方向の石板をステンレスまたはアクリル樹脂など防銹性または耐候性に優れた材料からなる幅広Ｌ字型部品４とボルトナット１１で固定し、垂直方向の各角にＬ字型石材１０を設置した地上設置型納骨室を有する墓。【選択図】図７
2019138125.tif 000002
【特許請求の範囲】
【請求項１】
ステンレスまたはアクリル樹脂など防銹性または耐候性に優れた材料からなる立方体または直方体の枠組みに、花崗岩などの石材からなる石板を垂直方向各側面および上面に接着し、枠組みと垂直方向の石板をステンレスまたはアクリル樹脂など防銹性または耐候性に優れた材料からなる幅広Ｌ字型部品とボルトナットで固定した地上設置型納骨室を有する墓。
【請求項２】
請求項１に記載の地上設置型納骨室において、立方体もしくは直方体の枠組みは垂直方向の頂点をつなぐ線の面取りがしてあり、その各面にボルトを通す穴を少なくとも２つ以上有することを特徴とする墓。
【請求項３】
請求項１〜２に記載の地上設置型納骨室において、幅広Ｌ字型の部品は角となる部分が面取りしてあり、その面にボルトを通す穴を有することを特徴とする墓。
【請求項４】
請求項１〜３に記載の地上設置型納骨室において、立方体もしくは直方体の枠組みに石板を接着した各側面の垂直方向角部分に、花崗岩などの石材からなるＬ字型の石材を立方体もしくは直方体の外部から接着していることを特徴とする墓。
【請求項５】
請求項１〜４のいずれかに記載の墓において、納骨部のステンレスまたはアクリル樹脂からなる枠組みと花崗岩などからなる石板およびＬ字型の石材はエポキシ系または弾性接着剤などを用いて接着されていることを特徴とする地上設置型納骨室を有する墓。
【請求項６】
請求項１〜５のいずれかに記載の地上設置型納骨室において、石板の側面または上面の少なくともひとつに納骨するための扉または開口部を有することを特徴とする墓。
【請求項７】
請求項１〜６のいずれかに記載の地上設置型納骨室において、ステンレスまたはアクリル樹脂からなる枠組みの底面四隅に納骨室を基礎部分に固定するために使用するアンカーボルトを通すための穴を有することを特徴とする墓。
【発明の詳細な説明】
【技術分野】
【０００１】  本発明は、ステンレスなどの金属またはアクリル樹脂からなる枠組みと石板を有する地上設置型納骨室を備えた墓に関する。
【背景技術】
【０００２】  従来、地上設置型納骨室を有する墓の納骨室において、側面は少なくとも石板４枚で立方体または直方体を形成し、それぞれの石板同士の接合部分をエポキシ系などの接着剤を用いて接着し、立方体または直方体の内側からＬ字金具を用いて隣接面の石板同士をアンカーボルトで固定する方法が使用されている。この際それぞれの石板には穴をあけてＬ字金具と石材をアンカーボルトで固定する方法が使用されている。その立方体または直方体の上面にエポキシ系などの接着剤を用いて石板を固定する方法が使用されている。この際石板は９ｃｍ程度からの厚さからなるものが使用されている。
【発明の概要】
【発明が解決しようとする課題】
【０００３】  しかし前記のとおり使用される石板は通常その重量のためクレーンなどの運搬機械を使わずに移動や設置を行うことは事実上困難である。そのため運搬機械が入れない場所への設置も困難となる。また納骨室上部に設置する墓石本体に対する荷重や地震などの揺れに対する強度を保つため石板の厚みを薄くすることは困難である。Ｌ字金具を石板にアンカーボルトで固定するために石板に穴をあける必要があり施工の際に石材が割れる危険性がある。【０００４】  本発明は、ステンレスなどの金属またはアクリル樹脂からなる枠組みと石板を有する地上設置型納骨室によって使用する石材の軽量化と耐荷重性および耐震性を備えた墓を得ることを目的としており、さらに天然資源である石材の使用を従来の製造方法より減らすことを目的とする。また材料である石材の軽量化を得ることにより運搬機械を使用せずに施工可能な墓の開発にあたる。
【課題を解決するための手段】
【０００５】  本発明のステンレスなどの金属またはアクリル樹脂からなる枠組みと石板を有する地上設置型納骨室を備えた墓は、以下の特徴を有するものである。
（１）ステンレスまたはアクリル樹脂など防銹性または耐候性に優れた材料からなる立方体または直方体の枠組みに、花崗岩などの石材からなる石板を垂直方向各側面および上面に接着し、枠組みと垂直方向の石板をステンレスまたはアクリル樹脂など防銹性または耐候性に優れた材料からなる幅広Ｌ型部品とボルトナットで固定した地上設置型納骨室を有する墓。
（２）上記（１）に記載の地上設置型納骨室において、立方体もしくは直方体の枠組みは垂直方向の頂点をつなぐ線の面取りがしてあり、その各面にボルトを通す穴を少なくとも２つ以上有することを特徴とする墓。
（３）上記（１）〜（２）に記載の地上設置型納骨室において、幅広Ｌ字型の部品は角となる部分が面取りしてあり、その面にボルトを通す穴を有することを特徴とする墓。
（４）上記（１）〜（３）に記載の地上設置型納骨室において、立方体もしくは直方体の枠組みに石板を接着した各側面の垂直方向角部分に、花崗岩などの石材からなるＬ字型の石材を立方体もしくは直方体の外部から接着していることを特徴とする墓。
（５）上記（１）〜（４）のいずれかに記載の墓において、納骨部のステンレスまたはアクリル樹脂からなる枠組みと花崗岩などからなる石板およびＬ字型の石材はエポキシ系または弾性接着剤などを用いて接着されていることを特徴とする地上設置型納骨室を有する墓。
（６）上記（１）〜（５）のいずれかに記載の地上型納骨室において、石板の側面または上面の少なくともひとつに納骨するための扉または開口部を有することを特徴とする墓。
（７）上記（１）〜（６）のいずれかに記載の墓の地上設置型納骨室において、ステンレスまたはアクリル樹脂からなる枠組みは接着する石板の面積に対応して枠の幅を変更することができることを特徴とする墓。
（８）上記（１）〜（７）のいずれかに記載の墓の地上設置型納骨室において、ステンレスまたはアクリル樹脂からなる枠組みの底面四隅に納骨室を基礎部分に固定するために使用するアンカーボルトを通すための穴を有することを特徴とする墓。
（９）上記（１）〜（８）のいずれかに記載の地上設置型納骨室において、納骨室に使用する花崗岩などの石板の厚みは２ｃｍ程度からなることを特徴とする墓。
【発明の効果】
【０００６】  以上の説明によって明らかなように、本発明のステンレスまたはアクリル樹脂などの材料からなる立方体または直方体の枠組みに、花崗岩などの石材からなる石板を各側面および上面に接着した地上設置型納骨室を有する墓は、以下に挙げた通り、実用上の好ましい効果がある。
（ａ）地上設置型納骨室をステンレスなどの金属またはアクリル樹脂からなる枠組みと石板で製造することによって、材料の軽量化を得ることが可能となる。
（ｂ）地上設置型納骨室の枠組みにより上部に設置する墓石の耐荷重や地震などの揺れに対する耐震性を保つことが可能となる。
（ｃ）地上設置型納骨室に使用する石板を軽量化することが可能となるため材料費や運搬費、人件費などの製造費用を抑えることが可能となる。
（ｄ）使用する石材の総量を抑えることが可能となるため、環境保護の観点からも好ましい結果を得ることが可能となる。
【図面の簡単な説明】
【０００７】
【図１】地上設置型納骨室の枠組１の模式図である。
【図２】幅広Ｌ字型部品４の模式図である。
【図３】［図１］における地上型納骨室枠組１を基礎部６に設置した際の底面を平面図にしたものである。
【図４】［図１］における地上設置型納骨室の枠組１と基礎部６をアンカーボルト７で固定した側面図である。
【図５】［図１］における地上設置型納骨室の枠組１に接着剤８を塗布した模式図である。
【図６】［図５］における接着剤８を塗布した地上型納骨室の枠組１に石板９を接着した模式図である。
【図７】［図６］における石板９を接着した地上設置型納骨室枠組１に［図２］における幅広Ｌ字型部品４をボルトナット１１で固定しＬ字型石材１０を外部から接着した模式図である。
【図８】［図７］の上面に上部石板１２を設置した地上型納骨室の模式図である。
【図９】［図８］の地上型納骨室に墓石上台１４墓石１５花立１６香炉１７を設置した墓の模式図である。
【発明を実施するための形態】
【０００８】  図１の地上設置型納骨室の枠組を図３及び図４に示すように基礎部６に固定し、図５に示すように接着剤８を塗布し図６が示すように石板９を各側面に接着する。図７の示すように図２の幅広Ｌ字型部品とボルトナット１１で石板９を固定し、各側面角をＬ字型石材１０で固定、その上部に図８に示すように上部石板１２を設置して地上設置型納骨室となす。図９に示すように図８における地上設置型納骨室の上部に墓石上台１４と墓石１５及び花立１６と香炉１７を設置する。これによりステンレスなどの金属またはアクリル樹脂からなる枠組みと石板を有する地上設置型納骨室を備えた墓を実施することが可能となる。
【符号の説明】
【０００９】符号１地上設置型納骨室枠組
符号２ボルト通し穴（１）
符号３アンカーボルト通し穴
符号４幅広Ｌ字型部品
符号５ボルト通し穴（２）
符号６基礎部
符号７アンカーボルト
符号８接着剤
符号９石板
符号１０Ｌ字型石材
符号１１ボルトナット
符号１２上部石板
符号１３納骨用開口部
符号１４墓石上台
符号１５墓石
符号１６花立
符号１７香炉
【図１】
2019138125.tif 000003
【図２】
2019138125.tif 000004
【図３】
2019138125.tif 000005
【図４】
2019138125.tif 000006
【図５】
2019138125.tif 000007
【図６】
2019138125.tif 000008
【図７】
2019138125.tif 000009
【図８】
2019138125.tif 000010
【図９】
2019138125.tif 000011